(57)【要約】空気入りタイヤ（２０２）は、クラウン部及び一対のサイドウォール部（２０６）を具えるタイヤ本体部を含む。少なくとも１枚の補強ベルトが、タイヤのクラウン部に配設される。タグが補強ベルトに保持される。一実施態様において、タグは、補強ベルト内に配置された補強コードの１本の位置に配置される。他の実施態様において、タグは、補強ベルトの接合部に配置される。このタイヤの代替的態様は、サイドウォール部の外面に形成された凹部内に保持されたタグを有する。タグ（１０４）は、これも凹部内に配置された封入材料（２１２）により封入することができる。
2006511393.tif 000002
【特許請求の範囲】
【請求項１】
クラウン部及び一対のサイドウォール部を具えるタイヤ本体と、該タイヤ本体のクラウン部に配設された補強ベルトとを有するタイヤにおいて、
タグが補強ベルトにより保持されていることを特徴とするタイヤ。
【請求項２】
前記補強ベルトは複数本の補強コードを含み、前記タグは補強コードに隣接して配置される、請求項１に記載のタイヤ。
【請求項３】
前記タグは一対の補強コードの間に配置される、請求項２に記載のタイヤ。
【請求項４】
前記補強ベルトは接合部を含み、前記タグは接合部に配置される、請求項１に記載のタイヤ。
【請求項５】
前記接合部は補強コードに平行である、請求項４に記載のタイヤ。
【請求項６】
前記接合部は接着剤の層を含み、前記タグは接着剤に保持される、請求項４に記載のタイヤ。
【請求項７】
前記タイヤ本体は少なくとも２枚の補強ベルトを含み、一方のベルトが他方のベルトの径方向外側に配置され、前記タグが最外ベルトにより保持される、請求項１に記載のタイヤ。
【請求項８】
前記ベルトは複数本の離間したコードを含み、前記タグはコードの１本を置換する、請求項１に記載のタイヤ。
【請求項９】
リムに装着されるよう適合されたタイヤにおいて、
該タイヤはクラウン部及び一対のサイドウォール部を具える本体部を有し、各サイドウォール部が、タイヤをリムに装着した際にリムに着座するビード部、タイヤの加圧チャンバに面するよう適合された内面、及び外面を有し、一方のサイドウォール部が、サイドウォール部の外面に開口を有するキャビティを画定しており、
前記タイヤは該キャビティ内に配設されたタグをさらに有し、
該タグは本体部及び該本体部から延びるワイヤを有し、該ワイヤも前記キャビティ内に配置されることを特徴とするタイヤ。
【請求項１０】
前記タグは封入材料内に封入されており、該封入材料はキャビティ内に配置される、請求項９に記載のタイヤ。
【請求項１１】
前記封入材料はキャビティ内でタグを完全に包囲する、請求項１０に記載のタイヤ。
【請求項１２】
前記封入材料は硬質である、請求項１１に記載のタイヤ。
【請求項１３】
前記封入材料は硬質エポキシである、請求項１２に記載のタイヤ。
【請求項１４】
前記封入材料は可撓性である、請求項１１に記載のタイヤ。
【請求項１５】
前記キャビティはサイドウォール部のビード部の径方向外側に配置される、請求項９に記載のタイヤ。
【請求項１６】
前記キャビティは、タイヤをリムに装着した際にリムにより塞がれることのないように、ビード部の直上に配置されている、請求項１５に記載のタイヤ。
【請求項１７】
前記タグはキャビティから突出する部分がない、請求項９に記載のタイヤ。
【発明の詳細な説明】
【技術分野】
【０００１】
この発明は、概して空気入りタイヤに関するものであり、特にタグと組み合わせた空気入りタイヤに関する。具体的には、この発明は、空気入りタイヤへのタグの装着方法及び装着位置に関する。
【背景技術】
【０００２】
タイヤ監視装置及びタイヤ識別装置の範疇に入る種々の型式のタグは、当業で公知である。タイヤ監視装置は、温度又は圧力を読み取り、その情報を後の回収に備えて記憶するよう構成することができる。また、これらの装置は、情報をタイヤから外部の読取器に伝送するよう構成することもできる。タイヤの温度又は圧力が極限値に達すると、タイヤ監視装置はこの情報を用いてアラームを発することができる。タイヤ識別装置は、タイヤの製造工程中及びタイヤの取り付け後に、タイヤを識別することを可能とする。タイヤ監視装置及びタイヤ識別装置は、設計及び所望の機能によって、受動的又は能動的とすることができる。
【０００３】
当業で公知のタイヤ識別装置の一例は、タイヤ識別チップ（タイヤＩＤチップ）である。タイヤＩＤチップは固有の識別番号を記憶しており、これは、タイヤＩＤチップからの情報を得る装置から送られた呼出信号により読み出すことができる。タイヤメーカーは、製造した各タイヤに１個のタイヤＩＤチップを装着し、製造工程中及び車両での使用中にタイヤを追跡することができるようにすることを望んでいる。
【０００４】
多様な監視装置及び識別装置があるので、これらの装置に対する多様な装着方法も存在する。公知の装着方法の例は、タイヤのサイドウォール内への監視装置の組込み、ビードフィラー内への監視装置の組込み、タイヤのサイドウォールへの装置のパッチを用いた取付け、インナーライナーへの装置の接着剤を用いた直接取付け、タイヤを支持するリムへの装置の接続、及びホイールのバルブステムへの装置の装着を含む。
【発明の開示】
【０００５】
この発明は、第１の構成において、タイヤのクラウン部に配置された補強コードからなるベルトの１枚に、タイヤ識別装置又はタイヤ監視装置を装着する。この識別又は監視装置は、補強コードの１本と置換することができ、補強コード間に配置することができ、又は補強コードプライから環状体を形成するのに用いられる接合部に配置することができる。
【０００６】
また、この発明は、タイヤ識別装置又はタイヤ監視装置を、サイドウォール部の外面に形成した凹部内に装着する態様も提供する。タイヤ識別装置又はタイヤ監視装置は、凹部内の封入材料で封入することができる。
【発明を実施するための最良の形態】
【０００７】
明細書を通じて、類似の符号は類似の部品を示すものとする。
【０００８】
図１〜３において、タイヤとタグとの組合せの第１実施態様を全体として符号１００で示す。組合せ１００は、全体としてタイヤ１０２と、タイヤ１０２に装着されたタグ１０４を含む。タグ１０４は、識別装置又は監視装置とすることができる。図示したタグ１０４の態様において、タグ１０４は、中央本体部１０６と、本体部１０６の対向する両面から延びるワイヤ１０８を有する。本体部１０６は、タイヤ１０２に関する情報を記憶し、この情報を要求する読取器（図示せず）に対して情報を提示するのに用いられる種々の素子を含むことができる。
【０００９】
第１の装着構成において、タグ１０４は、タイヤ１０２のクラウン部に配置された補強ベルト１１０の１枚に組み込まれる。各補強ベルトは、互いに隣接して配置された複数本の補強コード１１２を含む。各補強コード１１２は、ゴム材料１１４又は他の適当な材料で覆われる。各ベルト１１０は、タイヤ１０２の周方向に巻き付けられ、ベルト１１０の端部は接合部１１６で接合される。接合部１１６はワイヤ１１２に対して略平行である。第１の装着構成において、タグ１０４は接合部１１６に配置されており、タグ１０４用の組込み装着位置を与えている。タグ１０４を、接合部１１６の接着剤に埋設してもよい。タグ１０４を最外ベルト１１０内に組み込んで、読み取り性を向上させ、かつベルト１１０をタイヤ１０２の本体部に取り付けるのに用いられる加硫熱へのタグの被爆を低減させる。また、この位置は、タイヤ成型中の曲げ力からタグ１０４を保護する。
【００１０】
接合部１０６が形成される場合には、タグ１０４を接合部１０６に組み込んでもよい。あるいは、タグ１０４を、接合部１０６又は他の適当な位置のプライ１１０内に予め組み込んでもよい。例えば、この発明の他の実施態様において、タグ１０４は、図３Ａに示すように補強コード１１２の１本を置換する。図３Ｂにおいて、タグ１０４は、隣接する補強コード１１２の間に配置される。これらの位置は、加硫熱からタグ１０４を保護し、タイヤ成型中にタグ１０４を保護し、かつ他のタイヤ構造に干渉されることの少ない位置にタグ１０４を配置するという利点を有する。また、この位置は、タイヤ１０２の内面及び外面からタグ１０４が飛び出すことのないような位置にタグ１０４を配置する。また、この位置は、タグ１０４とタイヤ１０２の間の結合耐久性を接着剤に頼ることがない。タイヤユニフォミティのために、隣接するベルトは、タグ１０４と反対の位置に適当な機構を用いてもよい。
【００１１】
図４〜５において、タイヤとタグの組合せの第２の実施態様を、全体として符号２００で示す。組合せ２００は、全体として空気入りタイヤ２０２と、タイヤ２０２のサイドウォール部２０６の一方に装着されたタグ２０４を含む。タグ２０４は、タイヤ２０２をリム２０８に装着した際に、リム２０８の上方となるような位置でサイドウォール部２０６に装着される。一実施態様において、タグ２０４は、サイドウォール部が厚く屈曲の少ない、リム２０８の直上に装着される。この領域は、図４において符号２０９で示される。
【００１２】
タグ２０４は、サイドウォール部２０６により画定されるキャビティ２１０内に配置される。キャビティ２１０は、タグ２０４の本体部全体を収容し、さらに封入材料２１２のための余地を有する十分な大きさである。この明細書において、封入材料２１２は、タイヤ２０２に接着して、タグ２０４の、タイヤのサイドウォール部２０６への固定を補助する多様な材料のいずれかとすることができる。種々の公知の接着剤又は補修化合物／材料を封入材料２１２として用いることができる。封入材料２１２は、硬質材料又は比較的可撓性のある材料とすることができる。硬質封入材料の一例はエポキシであり、これは、タグ２０４の素子がタイヤの使用中に互いに対して屈曲するのを防止する。
【００１３】
この実施態様は、タイヤ２０２が加工され加硫された後に、タグ２０４を導入することを可能とする。また、この実施態様は、タグ２０４をタイヤ２０２に選択的に配置することを可能とする。この装着位置は、タグ２０４を加硫熱に被爆することがなく、タグ２０４がサイドウォール部２０６の輪郭から突出するのを防ぐ。また、この実施態様は、使用する封入材料２１２の種類により、タグ２０４の除去及び交換を可能とする。
【００１４】
上記の説明において、簡潔、明瞭及び理解のために特定の用語を用いた。かかる用語は記述的目的のために使用されたのであり、かつ広く解釈されることを意図するものであるので、従来技術の必要性を超えた不必要な限定をこれら用語に含めるべきではない。
【００１５】
さらに、この発明に関する説明及び図は例であって、この発明は図示した又は説明した通りの内容に限定されない。
【図面の簡単な説明】
【００１６】
【図１】空気入りタイヤの断面図であり、タイヤ監視装置又はタイヤ識別装置用の第１の装着構成を示す。
【図２】タイヤのクラウン部の一部断面上面図であり、ベルトの接合部に装着されたタグを示す。
【図３】図２の３−３線に沿って得た断面図である。
【図３Ａ】図３と同様の断面図であり、タグがベルトの補強コードの１本を置換している代替装着構成を示す。
【図３Ｂ】図３と同様の断面図であり、タグがベルト内で隣接する補強コードの間に配置されている代替実施態様を示す。
【図４】タグが第２の構成に装着された空気入りタイヤの断面図である。
【図４Ａ】図４の丸で囲んだ部分の拡大断面図である。
【図５】装着されたタグを示すタイヤの正面図である。
【図１】
2006511393.tif 000003
【図２】
2006511393.tif 000004
【図３】
2006511393.tif 000005
【図４】
2006511393.tif 000006
2006511393.tif 000007
【図５】
2006511393.tif 000008
【国際調査報告】
2006511393.tif 000009
2006511393.tif 000010
2006511393.tif 000011